(57)【特許請求の範囲】
【請求項１】
第１録音入力インタフェースと、第２録音入力インタフェースと、音声レベル検出手段と、ミキサと、記憶部と、データ書込装置と、制御手段とを備え、可搬型記憶媒体の表面に印刷を可能とするプリンタの制御を行うカラオケ録音装置であって、
第１録音入力インタフェースは、カラオケ装置からの伴奏音楽信号を入力し、
第２録音入力インタフェースは、カラオケ装置のマイクロホンを生成源とする歌唱音響信号を入力し、
音声レベル検出手段は、第２録音入力インタフェースからの歌唱音響信号の音声レベルを検出し、
ミキサは、伴奏音楽信号と歌唱音響信号を混合してミキシング信号を出力し、
データ書込装置は、制御手段の制御に基づいて可搬型記録媒体にデータを書き込み、
制御手段は、第１〜第３処理を行い、
第１処理は、ミキシング信号を所定のデータ形式で楽曲単位の録音ファイルとして記憶部に記憶し、
第２処理は、第２録音入力インタフェースからの歌唱音響信号が１曲分の楽曲演奏を通じて実質的に有ったか無かったかを、音声レベル検出手段の出力に基づいて判定し、
第３処理は、録音ファイルの可搬型記録媒体への書き込みを許可するとともに、第２処理の判定に基づき、有った場合は歌唱有りの旨を、無かった場合は歌唱無しの旨をプリンタに印刷させる
カラオケ録音装置。
【発明の詳細な説明】
【技術分野】
【０００１】
この発明は、カラオケ装置にて演奏されるカラオケ伴奏音楽と、その伴奏音楽に合わせて歌う利用者の歌唱音声とを適宜な録音媒体に録音するためのカラオケ録音装置に関する。
【背景技術】
【０００２】
カラオケ店舗などでは、オプションサービスとして、カラオケ装置にて音響出力されるカラオケ伴奏音楽と、その音楽に合わせて歌う利用者の歌唱音声とを適宜な可搬型記録媒体に録音できるカラオケ録音サービスを提供しているところがある。
【０００３】
カラオケ録音装置は、カラオケ伴奏音楽と歌唱者の音声とを録音するための装置であり、普通、ＣＤ−Ｒを録音媒体としたＣＤレコーダ本体である。ＣＤレコーダは、カラオケ装置から、カラオケ伴奏音楽とマイクロホン入力される歌唱音声との混合音声信号を入力し、この音声信号をサンプリングしてＣＤオーディオ規格に準じたＰＣＭデータに変換し、このＰＣＭデータをＣＤ−Ｒに書き込んで「録音」する。
【発明の開示】
【発明が解決しようとする課題】
【０００４】
カラオケ録音装置は、カラオケ伴奏音楽とその音楽に合わせて歌う歌唱音声とを録音するための装置である。しかし、利用者が故意にマイクロホンに音声を入力しなければ、カラオケ伴奏音楽のみを録音することは可能である。カラオケ伴奏音楽と歌唱音声とを録音する場合は、当然、私的録音行為として見なされるが、上述のようにカラオケ伴奏音楽のみを録音した場合、作成された録音済みＣＤ−Ｒは、そのままカラオケ用途に再使用できる。そのため、カラオケ録音装置よって作成された録音済みＣＤ−Ｒは、その録音内容によって著作権上の取り扱いが異なる。
【０００５】
一般的には歌唱音声が録音されているかどうかに関わらず、カラオケ録音サービス料金は定額となっている。したがって、サービス料金に著作権料が含まれていれば利用者は余分な料金を払っていることになる。その逆に著作権料を含ませていなければ、歌唱音声を入力せずにカラオケ伴奏音楽だけを不正に録音した「海賊版ソフト」の作成を助長することにもなりかねない。
【０００６】
また、伴奏音楽の録音自体が禁止されているカラオケ楽曲や無条件で録音が許可されているカラオケ楽曲も存在する。従来のカラオケ録音装置では、カラオケ伴奏音楽の録音に関わる複雑な手続きや規則に対応することは不可能である。
【０００７】
そこで本発明は、著作権を考慮した録音機能を備えたカラオケ録音装置を提供することを目的としている。
【課題を解決するための手段】
【０００８】
上記目的を達成するための本発明は、次の要件（１）〜（10）によって特定されるものである。
（１）第１録音入力インタフェースと、第２録音入力インタフェースと、音声レベル検出手段と、ミキサと、記憶部と、データ書込装置と、制御手段とを備え、可搬型記憶媒体の表面に印刷を可能とするプリンタの制御を行うカラオケ録音装置である。
（２）第１録音入力インタフェースは、カラオケ装置からの伴奏音楽信号を入力する。
（３）第２録音入力インタフェースは、カラオケ装置のマイクロホンを生成源とする歌唱音響信号を入力する。
（４）音声レベル検出手段は、第２録音入力インタフェースからの歌唱音響信号の音声レベルを検出する。
（５）ミキサは、伴奏音楽信号と歌唱音響信号を混合してミキシング信号を出力する。
（６）データ書込装置は、制御手段の制御に基づいて可搬型記録媒体にデータを書込む。
（７）制御手段は、第１〜第３処理を行う。
（８）第１処理は、ミキシング信号を所定のデータ形式で楽曲単位の録音ファイルとして記憶部に記憶する。
（９）第２処理は、第２録音入力インタフェースからの歌唱音響信号が１曲分の楽曲演奏を通じて実質的に有ったか無かったかを、音声レベル検出手段の出力に基づいて判定する。
（10）第３処理は、録音ファイルの可搬型記録媒体への書き込みを許可するとともに、第２処理の判定に基づき、有った場合は歌唱有りの旨を、無かった場合は歌唱無しの旨をプリンタに印刷させる。
【発明の効果】
【００１１】
本発明のカラオケ録音装置によれば、可搬型記録媒体に歌唱音声が録音されているか否かによって適宜な情報を出力することができる。そのため、カラオケ店舗側は、利用者にカラオケ録音装置の利用料金を歌唱音声の録音有無に応じて請求できる。そのため、カラオケ伴奏音楽が不正に複製されるのを防止する。また、歌唱音声入りでカラオケ伴奏音楽を録音した場合には利用料金を減額するなど、利用者は適正な料金でカラオケ録音装置を利用できる。
【００１２】
可搬型録音媒体に、著作権の許諾や歌唱音声が録音されている旨など、歌唱音声の検出結果に係わる付帯情報を印刷することで、録音済みの可搬型記録媒体が著作権に基づいた正規の音楽媒体であることを明示できる。また、カラオケ店舗側では可搬型記録媒体の録音内容が確認しやすい。
【００１３】
カラオケ楽曲毎の録音可否情報と歌唱音声入力の有無とに基づいて録音制御を行うことで、カラオケ楽曲毎に録音条件が異なっていたり、複雑な録音条件が設定されていたとしても、柔軟に対処することができる。
【発明を実施するための最良の形態】
【００１４】
＝＝＝カラオケ装置とカラオケ録音装置の構成＝＝＝
図１は、本発明の実施例におけるカラオケ録音装置とカラオケ装置との接続状態を概略図として示している。カラオケ録音装置１は、汎用のパーソナルコンピュータ（客室ＰＣ）２と、この客室ＰＣ２に付帯するＣＤ−Ｒ駆動装置３と、ＣＤ−Ｒの媒体表面に直接印刷が可能なプリンタ４とによって構成されている。この例では、ＣＤ−Ｒ駆動装置３とプリンタ４とは一体的に構成されており、ＣＤ−Ｒの搬送機構を内蔵して、ＣＤ−Ｒ駆動装置にてデータが書き込まれたＣＤ−Ｒを連続してプリンタに搬送して印刷することができる。客室ＰＣ２は、カラオケ装置６とＲＳ２３２Ｃ規格の通信インタフェース（制御情報インタフェース）を介してデータ通信を行うとともに、カラオケ装置６から音響出力されるカラオケ伴奏音楽の音響信号と歌唱音声の音響信号とを入力する。そして、各音響信号を適宜なデータ形式でＣＤ−Ｒ駆動装置３に装填されたＣＤ−Ｒ５に記録する。また、録音済みのＣＤ−Ｒ５をプリンタ４に装填して適宜な情報を印刷するための制御も行う。したがって、客室ＰＣ２は、上記構成のカラオケ録音装置１における制御部として動作する。
【００１５】
図２は、客室ＰＣ２がカラオケ録音装置１の制御部として動作するときの機能ブロック図を示している。客室ＰＣ２の本体１０は、ＣＰＵ・ＲＡＭ・ＲＯＭなどによって構成される中央制御部１１をコンピュータ本体とし、ハードディスク装置１２、ＲＳ２３２Ｃ規格の制御情報インタフェース１３、プリンタ内蔵型ＣＤ−Ｒ駆動装置（３，４）とのインタフェースとなるＳＣＳＩインタフェース１５、カラオケ装置６からの音声信号を処理する録音入力インタフェース１４などを主要構成要素として内蔵している。録音入力インタフェース１４は、カラオケ装置６が出力するカラオケ伴奏音楽の音響信号と、歌唱音声の音響信号とを個別に入力するための２系統の音声入力端子を備え、各音声端子に入力された音響信号はミキサにて混合され、その混合音声信号をサンプリングしてＰＣＭデータに変換する。ＰＣＭデータは中央制御部１１に転送されて適宜に処理される。  
なおこの例では、歌唱音声の音声入力端子とミキサとの信号処理経路中に、歌唱音声の音響信号レベルを検出し、そのレベル値を中央制御部１１に逐次転送するための回路（音声レベル検出部）が介在している。また客室ＰＣ２は、利用者の操作する入力装置として、キーボード２１やマウス２２に加え、ディスプレイ２０の画面上に配設されたタッチパネル２３を備え、これら入力装置からの操作入力情報は、それぞれに適合する規格のインタフェース１６〜１８を介して中央制御部１１に転送される。グラフィック制御部１９は、内蔵するビデオＲＡＭに展開されたビットマップ画像をビデオ信号に変換してディスプレイ２０に出力する。  
なお本実施例において、客室ＰＣ２がカラオケ録音装置１の制御部として機能しているときは、その操作のほとんどをタッチパネル２３から受け付けるようになっている。客室ＰＣ２は、タッチパネル２３からの利用者入力に応答してディスプレイ２０の表示画面を適宜に切り替えるＧＵＩ環境を備えている。利用者はＧＵＩによる対話形式のユーザインタフェースを通してカラオケ録音サービスを利用する。
【００１６】
一方、客室ＰＣ２に録音ソースを供給するカラオケ装置６は周知の通信カラオケ演奏端末であり、楽曲番号（楽曲ＩＤ）によって識別される多数のカラオケ楽曲について、ＭＩＤＩ形式で記述された音楽生成データと歌詞画像の生成起源となる歌詞描出データとを適宜な外部記憶に格納している。そして、利用者が指定した楽曲ＩＤに対応する音楽生成データをシンセサイザに転送してカラオケ伴奏音楽を生成する。また、歌詞描出データを処理して歌詞画像をビデオＲＡＭにビットマップ展開し、これを映像信号に変換してディスプレイに表示する。マイクロホン入力された利用者の歌唱音声はカラオケ伴奏音楽とを混合してその音声信号がスピーカより音響出力される。また、カラオケ伴奏音楽の音響信号とマイクロホン入力された歌唱音声の音響信号とを個別に出力するための２系統の音声出力端子を備え、この各系統の音声出力端子と、カラオケ録音装置の録音入力インタフェースにおける対応する系統の音声入力端子とが接続される。
【００１７】
＝＝＝カラオケ録音機能の概略＝＝＝
本発明のカラオケ録音装置は、カラオケ伴奏音楽とともに歌唱音声が入力されたかどうかを検出し、歌唱音声が録音されなかった場合、その旨を表示や印刷など適宜に出力する。それによって、カラオケ店舗側がカラオケ録音サービス料金に著作権を含ませて利用者に請求するかどうかなど、著作権に対する対処の仕方についての判断材料を提供することができる。
【００１８】
また、録音が禁止されているカラオケ楽曲や、条件付きで録音が許可されているカラオケ楽曲に対してもその録音に際して柔軟に対処できるようになっている。本実施例では、楽曲ＩＤと、録音の許可／不許可、条件付きで録音を許可する旨の録音条件とを録音可否情報として対応付けした録音可否情報テーブルがあらかじめハードディスク装置１２に格納されて用意されており、カラオケ装置６から制御情報インタフェース１３を介して録音しようとするカラオケ伴奏音楽の楽曲ＩＤを受け取ると、このＩＤを前記テーブルに照会し、このＩＤに対応付けされた録音可否情報、あるいはこの録音可否情報とカラオケ伴奏音楽の演奏中の歌唱音声の入力状態とに基づいて適宜に録音制御や各種情報出力制御などを行う。図３は、録音可否情報の種別と歌唱音声の入力状況との組み合わせに応じた録音制御や情報出力などの対処の仕方を概略図として示している。本実施例では、録音可否情報として、無条件で許可・無条件で禁止・条件付きで許可の３種が設定されており、「条件付きで許可」は、カラオケ伴奏音楽のみをＣＤ−Ｒへ録音することを禁止することとしている。以下、上記録音可否情報の各種別に応じた録音制御などについて説明する。
【００１９】
＝＝＝無条件で録音が禁止されている場合＝＝＝
利用者が客室ＰＣ２を操作してカラオケ録音サービスを利用する旨を入力すると、中央制御部１１は、その入力以降にカラオケ装置６にて演奏されるカラオケ楽曲について、まず楽曲ＩＤを制御情報インタフェース１３を通じて取得し、このＩＤを録音可否情報テーブルに照会する。この時点で無条件で録音が禁止されている楽曲については録音に関わる一切の制御を行わない。また、その旨をディスプレイに表示して利用者の同意を得る。
【００２０】
＝＝＝無条件に録音が許可されている場合＝＝＝
中央制御部１１は、利用者が録音しようとしているカラオケ楽曲のＩＤを録音可否情報テーブルに照会し、無条件に録音が許可されていることを認知すると、ＲＡＭの適当な領域を録音データ格納領域として確保する。そして、カラオケ装置からの演奏開始のタイミングデータを受け取るなど、そのカラオケ楽曲が演奏を開始したことを検出すると、録音入力インタフェース１４からのＰＣＭデータをこの領域に格納していく。また、音声レベル検出部からの信号強度を監視する。
【００２１】
カラオケ装置６から楽曲演奏の終了合図を受け取るなど、楽曲演奏の終了タイミングをもって、ＰＣＭデータの格納を停止すると、ＰＣＭデータを保存するか否かを利用者に問い合わせる画面をディスプレイ２０に表示する。保存の指示（ダンプ要求）があれば、格納されたＰＣＭデータに楽曲ＩＤなど、適宜に命名した所定形式の録音ファイル（WAVファイルなど）に作成し、そのファイルをＣＤ−Ｒに音楽ＣＤ規格に準じたフォーマットで記録する。
【００２２】
さらに、１曲分の演奏を通じて、音声レベル検出部が所定レベル以上の信号を検出した場合と検出しなかった場合とによって、例えば、「歌唱音声有り」または「歌唱音声無し」など、異なる情報（歌唱検出情報）を含んだ印刷データを作成してプリンタに供給し、ＣＤ−Ｒのラベル面に印刷させる。また、録音ファイル名・カラオケ楽曲名・録音日時なども併せて印刷する。カラオケ店舗側ではＣＤ−Ｒに印刷された歌唱検出情報に応じて、著作権料込みのサービス料金を請求するなど、適宜に対応することができる。また、複数楽曲分の録音ファイルをＣＤ−Ｒに書き込むことも可能であり、その場合は、録音ファイル名毎に歌唱音声の有無を付記すればよかろう。また、そうすることで、楽曲単位でカラオケ録音サービス料金を計算することもできよう。
【００２３】
なお、演奏終了後の一定時間内、あるいは演奏途中で録音内容を保存しない旨の指示が入力されると、ＲＡＭに格納されたＰＣＭデータを消去する。あるいは、次の演奏機会に入力されるＰＣＭデータで先のデータを上書きする。
【００２４】
＝＝＝条件付きで録音が許可されている場合＝＝＝
中央制御部１１は、録音可否情報テーブルによって録音対象のカラオケ楽曲に条件付き録音許可が対応付けされていると、録音入力インタフェース１４からのＰＣＭデータをＲＡＭに格納しながら音声レベル検出部からの信号強度を監視する。楽曲演奏が終了した時点で、音声レベル検出部が所定レベル以上の信号を検出しなかったことを認知すると、格納したＰＣＭデータを消去して、ＣＤ−Ｒへの録音ができない旨をディスプレイ２０に表示する。
【００２５】
一方、所定レベル以上の信号が検出された場合、ＰＣＭデータを保存するか否かを利用者に問い合わせる画面をディスプレイ２０に表示し、ダンプ要求があれば、上記と同様にして録音ファイルを作成し、そのファイルをＣＤ−Ｒに記録する。また、「歌唱音声有り」などの歌唱検出情報をＣＤ−Ｒに印刷する。それによって、録音済みのＣＤ−Ｒが正規の手続きに従って録音されたことを保証する。
【００２６】
＝＝＝その他の実施例＝＝＝
上記実施例は、カラオケ装置とカラオケ録音装置とが１対１に対応した形態であった。しかし、各カラオケ装置にＣＤ−Ｒ駆動装置やプリンタを含んだコンピュータシステムを付帯させれば、多くのカラオケ装置を設置している店舗にとっては設備投資に多くの経費を掛けることになる。また、保守・管理も煩雑となる。そこで、複数のカラオケ装置からの混合音声信号を集中管理する一実施例を示す。
【００２７】
図４はその集中管理方式のカラオケ録音装置の実施例を概略構成図として示している。各カラオケ装置６には客室ＰＣ２ｂが個別に接続されている。この客室ＰＣ２ｂは、上記実施例の客室ＰＣ２における録音ファイルの作成処理までを実行する。各客室ＰＣ２ｂはＬＡＮによってＣＤ−Ｒ駆動装置３を付帯するコンピュータ（管理ＰＣ）７に接続されている。
【００２８】
客室ＰＣ２ｂは各カラオケ装置６ごとの録音ファイルを作成していく。各客室の利用者が録音ファイルのダンプ要求操作を行うと、録音ファイルを管理ＰＣ７に転送する。管理ＰＣ７は、どの客室ＰＣ２からどのファイルが転送されてきたのかを管理し、ＣＤ−Ｒ４に録音ファイルを書き込む際に、他の客室ＰＣ２にて作成された録音ファイルが混入しないようにする。また、各録音ファイルの付帯情報として印刷情報を受け取り、印刷対象となるＣＤ−ＲにそのＣＤ−Ｒに書き込まれた録音ファイルに対応する印刷情報を印刷する。
【００２９】
なお、ＣＤ−Ｒ駆動装置３はチェンジャ方式のＣＤレコーダ（ＣＤ−Ｒチェンジャ）であることが望ましい。このＣＤ−Ｒチェンジャは複数のＣＤ−Ｒを装填するための複数のトレイを備え、任意のトレイに装填されているＣＤ−Ｒをデータ書込動作を行う駆動装置に搬送する。もちろん、管理ＰＣ７にはこのＣＤ−Ｒチェンジャを制御するためのソフトウエアが実装されることになる。チェンジャ方式のＣＤレコーダを利用するのであれば、客室ＰＣ２毎にチェンジャのトレイを割り当て、各客室の利用者用に用意したＣＤ−Ｒを該当のトレイに装填しておく。管理ＰＣ７はトレイと客室ＰＣ２ｂとの対応関係に基づいて、ある客室ＰＣ２ｂから録音ファイルが転送されてくると、該当のトレイにあるＣＤ−Ｒを駆動装置に搬送し、データを書き込む。
【００３０】
また、集中管理方式におけるネットワーク構成としては、複数台のＣＤ−Ｒ駆動装置と、それぞれのＣＤ−Ｒ駆動装置を制御するための複数の管理ＰＣとがある形態でもよいし、一台の管理ＰＣに複数台のＣＤ−Ｒ駆動装置が接続される形態であってもよい。もちろん、管理ＰＣを介さず、ＣＤ−Ｒ駆動装置自体に管理ＰＣと同様の制御機能が組み込まれていてもよい。一部の客室ＰＣにＣＤ−Ｒ駆動装置を接続することも可能である。
【００３１】
＝＝＝補足・変更例・応用例＝＝＝
上記実施例では、録音ファイルの付帯情報を印刷出力していた。もちろん、印刷出力に限らず、カラオケ店舗側や利用者がＣＤ−Ｒに歌唱音声が入っているかそうでないかをディスプレイに表示出力することもできる。また、ＣＤ−Ｒ自体に直接印刷しなくても伝票などに印刷することもできる。上述の集中管理方式であれば、管理ＰＣのディスプレイに表示させるだけで、カラオケ店舗側はＣＤ−Ｒに録音されている内容を確実に確認することができる。このように、録音対象のカラオケ楽曲の演奏中における歌唱音声の検出結果は、ＣＤ−Ｒに書き込まれる録音ファイルとの対応付けさえ確認できれば、その出力形態はどのようなものでもよい。
【００３２】
上記実施例では、無条件で録音が禁止されている楽曲については一切の録音動作を行わないようにしていた。しかし、とりあえずＲＡＭにはＰＣＭデータを格納しておき、ダンプ要求を受け付けない構成とすることもできる。
【００３３】
また、歌唱入りＣＤ−Ｒと歌唱なしのＣＤ−Ｒとでは販売価格が異なる場合、ＰＣＭデータを格納し終えた時点で、その価格を表示するなどして利用者に確認させ、その上で、ダンプ要求があればＣＤ−Ｒに録音ファイルを書き込む構成としてもよい。それによって、利用者が料金体系を知らずに歌唱なしのＣＤ−Ｒを作成してしまい、不本意な料金を支払うという事態も回避できる。
【００３４】
録音可否情報として、著作権の許諾番号や録音に対する著作権料などが含まれていてもよい。例えば、許諾番号をＣＤ−Ｒに印刷すれば、そのＣＤ−Ｒ自体の正当性が保証される。また、歌唱音声の有無に応じてカラオケ録音サービス料金が異なる場合、著作権料などを表示したり印刷したりすることで料金の妥当性を利用者に認識させることもできる。
【００３５】
なお当然のことではあるが、本発明のカラオケ録音装置における可搬型記録媒体としては、ＣＤ−Ｒに限らず、ＭＤ・ＤＶＤ−ＲＡＭなど、適宜な媒体が使用可能である。もちろん、仮録音された録音ファイルをＤ／Ａ変換してアナログデータとすれば、オーディオカセットテープなど、アナログのオーディオ記録媒体も使用できる。
【図面の簡単な説明】
【００３６】
【図１】本発明の実施例におけるカラオケ録音装置とカラオケ装置との接続状態を概略図として示している。
【図２】上記カラオケ録音装置の機能ブロック図を示している。
【図３】上記カラオケ録音装置にて処理される録音可否情報とその処理結果との対応付けを概略図として示してる。
【図４】本発明のその他の実施例として、集中管理方式を採用したカラオケ録音装置の概略構成図を示している。
【符号の説明】
【００３７】
１  カラオケ録音装置
２、２ｂ  客室ＰＣ
３  ＣＤ−Ｒ駆動装置
４  プリンタ
６  カラオケ装置
１１  中央制御部
１２  ハードディスク装置
１３  制御情報インタフェース
１４  録音入力インタフェース 
【図１】
0003701290.tif 000002
【図２】
0003701290.tif 000003
【図３】
0003701290.tif 000004
【図４】
0003701290.tif 000005